【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
密度を油の密度より小さく設定した、内部にリフレックスリフレクタを具備した光を透過する中空部材から成る第１フロート、密度を油の密度より大きく且つ水の密度より小さく設定した第２フロートを具備したフロート部と、前記リフレックスリフレクタに光を照射するための発光駆動部によって駆動される発光素子とを具備した漏液センサであって、
前記フロート部は油に浸かったときに、前記第２フロートが油に沈むことによって前記第１フロートが回転するようにした機構１を具備し、
前記フロート部を水のみが入ったタンクに設置した場合、前記第２フロートが水に浮かび、前記発光素子から照射される光が前記リフレックスリフレクタに当たって反射され、前記フロート部を油の浸入したタンクに設置した場合、前記第１フロートが回転することによって前記発光素子から照射される光が遮蔽されて、前記リフレックスリフレクタに当たらなくなる機構２を具備したことを特徴とする漏液センサ。
【請求項２】
第１フロート、ラックと共に上下に移動できるようにした第２フロート、光を透過して内部にリフレックスリフレクタを具備し、上下動ができないように前記第１フロートに固定され、表面が歯車を具備した円筒形の中空部材を具備したフロート部と、前記リフレックスリフレクタに光を照射するための発光駆動部によって駆動される発光素子とを具備した漏液センサであって、
前記第１フロートの密度は前記フロート部全体の平均の密度が油の密度より小さくなるように設定し、前記第２フロートの密度は油の密度より大きく且つ水の密度より小さくなるように設定し、
前記ラックと前記歯車でピニオンギアを構成し、前記フロート部が水に浮かんでいる場合、前記発光素子から照射される光は前記リフレックスリフレクタに当たって反射され、前記フロート部が油に浮かんでいる場合、前記第２フロートが下方に移動することによって前記中空部材が回転し、前記発光素子から照射される光が遮断され前記リフレックスリフレクタに当たらなくなる機構２を具備したことを特徴とする漏液センサ。
【請求項３】
光ファイバ１及び光ファイバ２を通すための孔を有する第１フロート、前前記第１フロートの周囲の所定の可動範囲を移動することができるマグネットを具備する第２フロート、前記第２フロートの下で所定の可動範囲を移動することができるスタンドを具備したフロート部と、光を照射する発光駆動部によって駆動される発光素子と、前記発光素子から照射された光を誘導する前記光ファイバ１と、前記光ファイバ１から出射した光を受光するための前記光ファイバ２と、前記光ファイバ２から出射した光を受光するための受光素子と、前記受光素子の受光量から前記フロート部が油に浸かっているか否かを判定する受光処理部と、前記判定によって警報を発する警報器とを具備した漏液センサであって、
前記フロート部全体の平均の密度が油の密度より小さくなるように前記第１フロートの密度を設定し、前記第２フロートの密度を水の密度より小さく且つ油の密度より大きく設定し、前記スタンドの密度を水の密度より大きく設定し、
前記フロート部が水に浮かんでいるとき、前記第２フロートは前記所定の可動範囲の上部に移動し、前記フロート部が油に浮かんでいるとき、前記第２フロートは前記所定の可動範囲の下部に移動し、前記フロート部が液体が入っていないタンクの底面上に置かれた場合、前記スタンドによって前記第２フロートが前記所定の可動範囲の上方に移動し、
前記第１フロートは、前記第２フロートが前記パイプの上部に有るときの前記受光素子の受光量と、前記第２フロートが前記パイプの下部に有るときの前記受光素子の受光量が変化する機構を具備し、前記受光処理部が前記受光量の変化によって前記フロート部が油に浸かっているか否かを判定できるようになっていることを特徴とする漏液センサ。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明は、密度を油の密度より小さく設定した、内部にリフレックスリフレクタを具備した光を透過する中空部材から成る第１フロート、密度を油の密度より大きく且つ水の密度より小さく設定した第２フロートを具備したフロート部と、前記リフレックスリフレクタに光を照射するための発光駆動部によって駆動される発光素子とを具備した漏液センサに関し、本発明の上記目的は、前記フロート部は油に浸かったときに、前記第２フロートが油に沈むことによって前記第１フロートが回転するようにした機構１を具備し、前記フロート部を水のみが入ったタンクに設置した場合、前記第２フロートが水に浮かび、前記発光素子から照射される光が前記リフレックスリフレクタに当たって反射され、前記フロート部を油の浸入したタンクに設置した場合、前記第１フロートが回転することによって前記発光素子から照射される光が遮蔽されて、前記リフレックスリフレクタに当たらなくなる機構２を具備したことによって達成される。
【手続補正１５】
【補正対象書類名】明細書
【補正対象項目名】００２４
【補正方法】変更
【補正の内容】
【００２４】
本発明は、第１フロート、ラックと共に上下に移動できるようにした第２フロート、光を透過して内部にリフレックスリフレクタを具備し、上下動ができないように前記第１フロートに固定され、表面が歯車を具備した円筒形の中空部材を具備したフロート部と、前記リフレックスリフレクタに光を照射するための発光駆動部によって駆動される発光素子とを具備した漏液センサに関し、本発明の上記目的は、前記第１フロートの密度は前記フロート部全体の平均の密度が油の密度より小さくなるように設定し、前記第２フロートの密度は油の密度より大きく且つ水の密度より小さくなるように設定し、前記ラックと前記歯車でピニオンギアを構成し、前記フロート部が水に浮かんでいる場合、前記発光素子から照射される光は前記リフレックスリフレクタに当たって反射され、前記フロート部が油に浮かんでいる場合、前記第２フロートが下方に移動することによって前記中空部材が回転し、前記発光素子から照射される光が遮断され前記リフレックスリフレクタに当たらなくなる機構２を具備したことによって達成される。
【手続補正１６】
【補正対象書類名】明細書
【補正対象項目名】００２５
【補正方法】削除
【補正の内容】